(57)【特許請求の範囲】
【請求項１】
紙製等からなる基材に複数の区画部を形成し、各区画部には所定の文字、図形等が描画されているとともに、各区画部は行方向（横方向）並びに列方向（縦方向）の双方向或いは一方向に連続して形成され、該複数の区画部との間は該区画部間に設けられた折線部によって折り畳み可能であり、
前記折線部には、上下方向及び左右方向又はそのいずれか方向に、隣接する区画部同士を連結する罫線並びに逃げ孔が設けられており、これらの罫線並びに逃げ孔からなる各折線部は該区画部の数だけの異なる形状パターンに形成され、該区画部を折り畳んだ際、前記罫線が、他の区画部の逃げ孔部分に位置することによって、各折り目部分は複数の罫線が重なることがなく、罫線が１枚のみしか各折り目部分に位置しないように構成されていることを特徴とする紙片等の折り目構造。
【請求項２】
前記罫線は塑性ヒンジであることを特徴とする請求項１に記載の紙片等の折り目構造。
【請求項３】
前記区画部のうち、端部以外の内側に位置する区画部は、矩形であることを特徴とする請求項１又は２に記載の紙片等の折り目構造。
【請求項４】
前記逃げ孔は四角形状のスリットであることを特徴とする請求項１〜３のうち、何れか１項に記載の紙片等の折り目構造。
【発明の詳細な説明】
【技術分野】
【０００１】
本発明は、紙片等の折り目構造に係り、例えば複数枚の紙片から構成されたシート状のリーフレットやパンフレット、しおり、折り畳み地図等に適用可能な折り目の構造に関する。
【背景技術】
【０００２】
一般に、複数枚の紙片を折り畳んでなるシート状のリーフレットは、紙片同士の連結部分となる折り目が重なることから、折り目が厚くなってしまい、使用時における利便性に悪影響を及ぼしたり、収納性が悪化することになる。このため、従来は、紙片を薄くすることによって対応する、或いは各紙片に片綴じ用の孔を穿設し、当該孔を利用して綴じ具によって各紙片を纏めて見開きを可能とするなどの手段が講じられていた。
【０００３】
また、リーフレットとは異なるが、名刺などを収納・保存する折り畳みファイルとして、特開２００６−２４７９７６号公報（特許文献１）記載の発明が公知である。
同公報記載の発明は、紙体に対し、波状山折り線と波状谷折り線とを交互に形成し、折り線によって形成される区画部を設けて構成されている。同発明は、拡げたり或いは折り畳みに関する動作を１度で行うことが可能であり、区画部に設けた着脱保持部に、名刺や写真を収納することができるようになっており、コンパクト性、携帯性に優れるとされている。
【先行技術文献】
【特許文献】
【０００４】
【特許文献１】特開２００６−２４７９７６号公報
【発明の開示】
【発明が解決しようとする課題】
【０００５】
しかしながら、前述した特許文献１記載の折り畳みファイルは、紙体に、波状山折り線と波状谷折り線とを交互に形成し、これらの折り線を利用して折り畳むようになっている。このため、折り畳んだ際には、折り目の部分に負荷が生じ、特に紙が厚い場合には折り目が歪んだり、折り畳み部分が厚くなって携帯性を損ねるという課題があった。
【０００６】
図９は、従来における紙を基材とするシート材１００を折り畳んだ状態を示す概略斜視図である。同図に示されるように、区画部となる各紙片の折線部分１０２は、折り返すことにより負荷がかかって折り目の厚みが増すことから、折り目が重なる部分が嵩張ることとなり、折り畳みの回数には自ずと限度があった。つまり、区画部の数が多くなって区画部間の折り目が増加すると、例えばリーフレットとして利用するような場合には、リーフレット全体として嵩張る結果となり、携帯性のみならず、所望の区画部を開くにしても折り目の厚さが災いし、取扱いが不便になるという課題があった。
【０００７】
本発明はこのような事情に鑑みてなされたものであり、折り畳んだ際に、折り目部分が厚くなることがなく、携帯性に優れ、折り畳みの動作を容易に行うことが可能な紙片等の折り目構造を提供することを目的とする。
また、例えば地図として利用する場合に、所望の区画部を表面側に位置させるなど、利便性に優れる紙片等の折り目構造を提供することを目的とする。
【課題を解決するための手段】
【０００８】
請求項１記載の発明は、紙製等からなる基材に複数の区画部を形成し、各区画部には所定の文字、図形等が描画されているとともに、各区画部は行方向（横方向）並びに列方向（縦方向）の双方向或いは一方向に連続して形成され、該複数の区画部との間は該区画部間に設けられた折線部によって折り畳み可能であり、前記折線部には、上下方向及び左右方向又はそのいずれか方向に、隣接する区画部同士を連結する罫線並びに逃げ孔が設けられており、これらの罫線並びに逃げ孔からなる各折線部は該区画部の数だけの異なる形状パターンに形成され、該区画部を折り畳んだ際、前記罫線が、他の区画部の逃げ孔部分に位置することによって、各折り目部分は複数の罫線が重なることがなく、罫線が１枚のみしか各折り目部分に位置しないように構成されていることを特徴とする。
【０００９】
請求項２記載の発明は、上記１項において、前記罫線は塑性ヒンジであることを特徴とする。
【００１０】
請求項３記載の発明は、上記１項又は２項において、前記区画部のうち、端部以外の内側に位置する区画部は、矩形であることを特徴とする。
【００１１】
請求項４記載の発明は、上記１〜３項のうち、何れか１項において、前記逃げ孔は四角形状のスリットであることを特徴とする。
【発明の効果】
【００１２】
本発明によれば、例えば複数枚の紙片（区画部）から構成されるリーフレットやパンフレット、しおり、折り畳み地図等の折り目部分が厚くならずに済み、携帯性、使い勝手の向上に寄与する。
【図面の簡単な説明】
【００１３】
【図１】本発明に係る紙片等の折り目構造が適用された一実施形態であるリーフレットの平面図である。
【図２】同じく、本発明に係る紙片等の折り目構造が適用されたリーフレットの要部拡大平面図である。
【図３】同じく、本発明に係る紙片等の折り目構造が適用されたリーフレットを折り畳んだ際の各区画部の配置状況を示す側面説明図である。
【図４】同じく、本発明に係る紙片等の折り目構造が適用されたリーフレットを折り畳む際の手順を示す説明図である。
【図５】同じく、本発明に係る紙片等の折り目構造が適用されたリーフレットを折り畳んだ際の各区画部の位置並びに配置状況を示す側面説明図である。
【図６】本発明に係る紙片等の折り目構造が適用されたリーフレットであって、６つの区画部に分割して構成されたリーフレットの平面図である。
【図７】図６のリーフレットを折り畳んだ際の各区画部の位置並びに配置状況を示す側面説明図である。
【図８】本発明に係る紙片等の折り目構造が適用されたリーフレットの変形例を示す平面図である。
【図９】従来の紙片等の折り目構造を示した概略斜視図である。
【発明を実施するための最良の形態】
【００１４】
以下、本発明に係る紙片等の折り目構造の好適な実施形態について添付図面を参照して説明する。
【００１５】
図１は本発明に係る紙片等の折り目構造の一実施形態が適用されたリーフレットの平面図、図２は図１に示されるリーフレットの要部拡大平面図、図３はリーフレットを折り畳んだ際の平面図、図４はリーフレットを折り畳む際の手順を示す説明図、図５はリーフレットを折り畳んだ際の各区画部の位置並びに配置状況を示す側面説明図である。
【００１６】
これらの図に示されるように、本実施形態におけるリーフレット１０は、紙などを基材とする１枚のシート材を９つの区画部に分割し、上段の行方向（横方向）には第１の上区画部１２Ａ、第２の上区画部１２Ｂ、第３の上区画部１２Ｃ，中央の行方向には第１の中央区画部１４Ａ、第２の中央区画部１４Ｂ、第３の中央区画部１４Ｃ、下段の行方向には第１の下区画部１６Ａ、第２の下区画部１６Ｂ、第３の下区画部１６Ｃとして、９つの区画部をもって構成されている。図示していないが、各区画部には、その表面側或いは、表面側及び裏面側の双方に、文字や図形、地図などが印刷されており、折り畳み可能なリーフレットや携帯用の地図などとして利用することができるようになっている。
【００１７】
第１〜３の上区画部１２Ａ，１２Ｂ，１２Ｃと、第１〜３の中央区画部１４Ａ，１４Ｂ，１４Ｃと間には、折り畳み時に折り曲げられる折線部Ａ１−Ａ１が設けられている。同様に、第１〜３の中央区画部１４Ａ，１４Ｂ，１４Ｃと、第１〜３の下区画部１６Ａ，１６Ｂ．１６Ｃとの間には，折線部Ａ２−Ａ２が設けられている。ここで、図１中、折線部Ａ１−Ａ１，Ａ２−Ａ２は二点鎖線で囲まれた部分である。
【００１８】
図２に示されるように、折線部Ａ１−Ａ１のうち、第１の上区画部１２Ａ、第１の中央区画部１４Ａ間には、両区画部１２Ａ，１４Ａとの間を連結し、且つ折り曲げられる部分となる罫線１８Ａ，１８Ａが設けられている。また、罫線１８Ａ，１８Ａ間にはスリット状の逃げ孔２０Ａが穿設されている。
第２の上区画部１２Ｂと、第２の中央区画部１４Ｂとの間には、中央に罫線１８Ｂ、その両側に逃げ孔２０Ｂ，２０Ｂが設けられている。また、第３の上区画部１２Ｃと、第３の中央区画部１４Ｃとの間には、内側に２箇所の罫線１８Ｃ、１８Ｃ、３箇所の逃げ孔２０Ｃ，２０Ｃ，２０Ｃがそれぞれ設けられている。
【００１９】
第１〜３の上区画部１２Ａ，１２Ｂ，１２Ｃと、第１〜３の中央区画部１４Ａ，１４Ｂ，１４Ｃとの間における折線部Ａ１−Ａ１のうち、各区画部間の折線部ａ１，ａ２，ａ３における罫線並びに逃げ孔は、位置や大きさ等、それぞれ異なる形状パターンに形成されている。
つまり、行方向に３つの区画部が存在する場合には、各折線部ａ１，ａ２，ａ３における罫線の位置並びに逃げ孔の組合せは、異なる３つのパターンに形成されていることとなる。即ち、区画部の数がｎ個とすると、上区画部と下区画部との間における折線部はａ１，ａ２，ａ３・・・ａｎとなるが、この場合はｎ個分の異なる罫線並びに逃げ孔の形状パターンが、上区画部と下区画部との間に形成されていることになる。
【００２０】
また、第１〜３の中央区画部１４Ａ，１４Ｂ，１４Ｃと、第１〜３の下区画部１６Ａ，１６Ｂ，１６Ｃとの間における折線部Ａ２−Ａ２のうち、区画部間の折線部ａ１´，ａ２´，ａ３´は、それぞれ異なる形状パターンに形成されている。一方で、図１に示される折線部ａ１´，ａ２´，ａ３´は、Ａ１−Ａ１における折線部ａ１，ａ２，ａ３の形状パターンとは配列の順序が異なるだけで、罫線並びに逃げ孔の位置、形状のパターンは同様である。折線部Ａ２−Ａ２における罫線並びに逃げ孔は、折線部Ａ１−Ａ１と同じパターンのものは同一の符号を付している。
【００２１】
リーフレット１０を折り畳む際には、９つの区画部のうち、所望の区画部を上面に持ってくるなど、状況に応じた使い方が可能であるが、ここでは図３に示されるように、第１の区画部１２Ａを上面に配置する場合について、各区画部の配置状況並びに重なり具合について説明する。
【００２２】
まず、図４（ａ）に示されるように、シート状に広げられたリーフレット１０を、先ず、折線Ａ１−Ａ１線を山折り、Ａ２−Ａ２線を谷折りとして、行に沿って行の方向に折り畳み、図４（ｂ）の状態とする。そして、図４（ｃ）に示されるように、列の方向へ折線Ｂ１−Ｂ1線を山折り、Ｂ２−Ｂ２線を谷折りとして、列に沿って折り畳み、最終的に図４（ｄ）の状態とする。図４中、罫線については説明の便宜上、黒色の塗り潰しによって表現している。
【００２３】
図５に示されるように、折り畳み後のリーフレット１０は、第１の区画部１２Ａが最も上部に位置し、その下側には順に、第１の中央区画部１４Ａ、第１の下区画部１６Ａ、第２の下区画部１６Ｂ、第２の中央区画部１４Ｂ、第２の上区画部１２Ｂ、第３の上区画部１２Ｃ、第３の中央区画部１４Ｃ、第３の下区画部１６Ｃが配置されている。
【００２４】
第１の区画部１２Ａと、その下側の第１の中央区画部１４Ａとは、罫線１８Ａ，１８Ａによって連結されているとともに、罫線１８Ａ，１８Ａの間には逃げ孔２０Ａが位置している。この逃げ孔２０Ａには、第２の中央区画部１４Ｂと、第２の上区画部１２Ｂとを連結する罫線１８Ｂが位置し、罫線１８Ｂの厚みを吸収することによって紙の厚みを少なくする作用を有している。
【００２５】
また、第２の中央区画部１４Ｂ、第２の上区画部１２Ｂ間に形成されている逃げ孔２０Ｂ，２０Ｂには、第３の上区画部１２Ｃと、第３の中央区画部１４Ｃとを連結する罫線１８Ｃ，１８Ｃが位置している。さらに、第１の区画部１２Ａと、その下側の第１の中央区画部１４Ａとの間の逃げ孔２０Ａに対しても、罫線１８Ｃ，１８Ｃが位置している。即ち、各区画部を折り畳んだ際、各罫線は必ず逃げ孔の部分に位置し、折り目部分に２つ以上の罫線が重なることがなく、したがって、折り目部分には罫線が１枚のみしか位置しないように構成されている。このため、折り目の部分が厚くなることを避けることが可能となり、収納時における携帯性に優れている。
【００２６】
また、各区画部を折り畳む場合に、折り目による抵抗が少ないために、迅速且つ容易に折り畳むことができるとともに、所望の区画部を上面側に配置する場合でも簡単に行うことが可能であり、各区画部の折線部分に無理を生じさせることなく使用が可能となる利点を有する。例えば、地図として使用する際に、所望の区画部を上面側に速やかに配置させることができるなど、利便性に優れ、使い勝手が大幅に向上している。この場合、折り畳む際に、折り畳まれる区画部の厚み並びに寸法の誤差等は、罫線並びに逃げ孔によって吸収することが可能なため、折り畳み時における嵩張り、抵抗が少なくて済むという長所を有する。
加えて、各区画部の裏面側についても、所望の区画部を上面側に配置することが可能であり、使用時の利便性に優れている。
【００２７】
一方、列方向（縦方向）における第１の上区画部１２Ａ、中央区画部１４Ａ、下区画部１６Ａと、第２の上区画部１２Ｂ、中央区画部１４Ｂ、下区画部１６Ｂとの間は、図１及び図２に示されるように、折線部Ｂ１−Ｂ１となっている。
また、第２の区画部１２Ｂ，１４Ｂ，１６Ｂと、第３の区画部１２Ｃ，１４Ｃ，１６Ｃとの間は折線部Ｂ２−Ｂ２となっている。
これらの折線部Ｂ１−Ｂ１，Ｂ２−Ｂ２についても行方向（横方向）と同様に、罫線、逃げ孔が、それぞれの区画部毎に形成されており、各区画部間の罫線並びに逃げ孔は、その位置や大きさ等、それぞれ異なる形状パターンとなっている。この点は前述した折線部Ａ１−Ａ１，Ａ２−Ａ２の場合と同様である。
【００２８】
図６は１枚のシート材を６つの区画部に分割して構成されたリーフレットの平面図、図７は図６のリーフレットを折り畳んだ際の各区画部の位置並びに配置状況を示す側面説明図である。
図６に示されるリーフレット３０は、上段の行方向（横方向）に、第１の上区画部３２Ａ、第２の上区画部３２Ｂ、第３の上区画部３２Ｃ，下段の行方向に、第１の下区画部３４Ａ、第２の下区画部３４Ｂ、第３の下区画部３４Ｃを備えて構成されている。
各区画部間の折線部Ｃ−Ｃ，Ｄ１−Ｄ２，Ｄ２−Ｄ２は、区画部の数は異なるものの、前述した９箇所の区画部からなるリーフレット１０の上側三分の二の部分と、同様に形成されているので、罫線並びに逃げ孔の構成については同一の符号を付し、その詳細な説明は省略する。
【００２９】
図７に示されるように、折り畳み後のリーフレット３０は、第１の区画部３２Ａが最も上部に位置し、その下側には順に、第１の下区画部３４Ａ、第２の下区画部３４Ｂ、第２の上区画部３２Ｂ、第３の上区画部３２Ｃ、第３の下区画部３４Ｃが配置されている。このように、リーフレット３０においても各区画部を折り畳んだときに、各罫線は必ず逃げ孔の部分に位置するのは、前述したリーフレット１０の場合と同じであり、これによって、区画部の折り目部分に２つ以上の罫線が重なることがない。このため、折り目の部分が厚くなることを避けることができる。
【００３０】
図８は前述したリーフレット３０の変形例を示す平面図であり、同図におけるリーフレット４０は端部側に位置する区画部４０Ａ〜Ｄを矩形ではなく、異なる形状に形成した場合のである。内部側の各区画部４０Ｅ，４０Ｆは、矩形状に形成する必要があるが、端部側の区画部４０Ａ〜Ｄについては、折り曲げる罫線並びに逃げ孔の形状に支障がない限り、矩形以外の所望の形に形成することが可能である。このように端部の区画部の形状につき自由度を持たせることによって、ユニークなデザインを備えるリーフレットを作成することができる。
【００３１】
なお、本実施形態では、各区画部の形状は長方形状としたが、これに限らず、正方形などとすることも可能である。また、リーフレット以外の用途、例えば、地図やカレンダーなど、幅広い物品に本発明に係る折り目構造を適用することが可能である。
また、基材の材質としては、紙以外の例えば合成樹脂等でも適用可能であり、罫線については塑性ヒンジなどを用いることも可能である。これによれば、耐水性や耐候性、耐久性の向上などの特性を付加することができる。
さらに、前述した実施形態では、逃げ孔の形状としては横長のスリットとしているが、罫線が重ならないようにデザインすることができ、且つ隣り合う区画部間を連結することに支障がなければ、その形状は限定されない。
【００３２】
本実施形態によれば、区画部の数が多くとも折り畳み時に折り目部分が厚くなることがないため携帯性に優れており、又、折り畳みの動作を容易に行うことが可能である。また、折り目部分の厚みは極小なために、一冊のリーフレットの厚みが均等となるので、複数のリーフレットを保管するに際しても収納性に優れるという特徴を有する。
【産業上の利用可能性】
【００３３】
以上説明したように、本発明によれば、リーフレットやパンフレット、しおり、折り畳み地図等の幅広い用途に用いることが可能であり、使い勝手の良さを向上させることが可能である。
【符号の説明】
【００３４】
１０        リーフレット
１２Ａ      第1の上区画部
１２Ｂ      第２の上区画部
１２Ｃ      第３の上区画部
１４Ａ      第１の中央区画部
１４Ｂ      第２の中央区画部
１４Ｃ      第３の中央区画部
１６Ａ      第１の下区画部
１６Ｂ      第２の下区画部
１６Ｃ      第３の下区画部
１８Ａ  １８Ｂ  １８Ｃ  罫線
２０Ａ  ２０Ｂ  ２０Ｃ  逃げ孔
Ａ１−Ａ１  Ａ２−Ａ２  Ｂ１−Ｂ１  Ｂ２−Ｂ２  Ｃ−Ｃ  Ｄ１−Ｄ１  Ｄ２−Ｄ２折線
３０  リーフレット
３２Ａ      第1の上区画部
３２Ｂ      第２の上区画部
３２Ｃ      第３の上区画部
３４Ａ      第１の下区画部
３４Ｂ      第２の下区画部
３４Ｃ      第３の下区画部
４０  リーフレット
４０Ａ〜Ｆ  区画部
【要約】 
【課題】  折り畳んだ際に、折り目部分が厚くなることがなく、携帯性に優れ、折り畳みの動作を容易に行うことが可能な紙片等の折り目構造の提供。
【解決手段】  紙製等からなる基材に版面となる複数の区画部１２Ａ，１２Ｂ・・を形成し、各区画部には所定の文字、図形等が描画されているとともに、複数の区画部との間は区画部間に設けられた折線部によって折り畳み可能であり、折線部には上下方向及び左右方向、又はそのいずれか方向に隣接する区画部同士を連結する罫線１８Ａ・・並びに逃げ孔２０Ａ・・が設けられており、これらの罫線１８Ａ・・並びに逃げ孔２０Ａ・・からなる各折線部Ａ１−Ａ２・・は区画部の数だけの異なる形状パターンに形成され、区画部を折り畳んだ際、罫線１８Ａ・・が、他の区画部の逃げ孔２０Ａ・・部分に位置することによって、各折り目部分は複数の罫線が重なることがないように構成されている。
【選択図】  図１【図１】
0005208291.tif 000002
【図２】
0005208291.tif 000003
【図３】
0005208291.tif 000004
【図４】
0005208291.tif 000005
【図５】
0005208291.tif 000006
【図６】
0005208291.tif 000007
【図７】
0005208291.tif 000008
【図８】
0005208291.tif 000009
【図９】
0005208291.tif 000010